【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
楽曲データの配信サービスの授受を実施するための楽曲配信システムにおいて、
前記楽曲データの送信要求に応答して、前記楽曲データを送信要求者へ送信する楽曲デ
ータ送信手段と、
その使用が制限された、前記楽曲データの再生権限を示す使用制限付き再生キーを送信
する再生キー送信手段と、
前記使用制限付き再生キー、及び該使用制限付き再生キーの使用制限情報に基づいて、
使用制限の範囲内で前記楽曲データの再生を制御する再生制御手段とを備えると共に、
前記楽曲データ送信手段が、楽曲配信装置に装備されるものであり、
前記再生キー送信手段が、前記楽曲配信装置とは異なる楽曲配信補助装置に装備される
ものであり、
前記再生制御手段が、楽曲データ再生装置に装備されるものであり、
前記使用制限情報に、前記使用制限付き再生キーの使用可能期間が含まれ、
前記再生制御手段が、前記使用可能期間内に限定して前記楽曲データを再生するもので
あり、
前記使用制限付き再生キーが、各楽曲毎に設定されていることを特徴とする楽曲配信シ
ステム。
【請求項２】
前記再生キー送信手段が、放送波に乗せて前記使用制限付き再生キーを送信するもので
あり、
前記使用制限付き再生キーを乗せた放送波を受信する受信手段と、
該受信手段で受信した放送波に乗っていた前記使用制限付き再生キーを蓄積手段に格納
する格納手段とを備えると共に、
前記受信手段と前記格納手段とが、前記楽曲データ再生装置に装備されるものであるこ
とを特徴とする請求項１記載の楽曲配信システム。
【請求項３】
前記受信手段が、複数のチャンネルから送信される放送波を一度に受信可能に構成され
、
ユーザーが操作する入力手段を介して入力された選択情報に基づいて、前記蓄積手段へ
格納すべき前記使用制限付き再生キーの送信元を１つ又は２つ以上設定する送信元設定手
段を備えると共に、
前記格納手段が、前記送信元設定手段により設定された送信元からの放送波に乗ってい
た前記使用制限付き再生キーだけを前記蓄積手段に格納するものであり、
前記送信元設定手段が、前記楽曲データ再生装置に装備されるものであることを特徴と
する請求項２記載の楽曲配信システム。
【請求項４】
前記再生キー送信手段が、その使用制限を示す前記使用制限情報を付加して前記使用制
限付き再生キーを送信するものであることを特徴とする請求項１〜３のいずれかの項に記
載の楽曲配信システム。
【請求項５】
前記楽曲データの購入要求に応答して、使用制限の解除権限を示す解除権限情報を購入
要求者へ送信する解除権限情報送信手段と、
前記解除権限情報に基づいて、前記使用制限情報を無効とする無効手段とを備えると共
に、
前記解除権限情報送信手段が、前記楽曲配信装置に装備されるものであり、
前記無効手段が、前記楽曲データ再生装置に装備されるものであることを特徴とする請
求項１記載の楽曲配信システム。
【請求項６】
請求項１記載の楽曲配信システムを構成する前記楽曲データ再生装置であって、
前記使用制限付き再生キー、及び該使用制限付き再生キーの使用制限情報に基づいて、
使用制限の範囲内で前記楽曲データの再生を制御するものであることを特徴とする楽曲デ
ータ再生装置。
【手続補正２】
【補正対象書類名】明細書
【補正対象項目名】発明の名称
【補正方法】変更
【補正の内容】
【発明の名称】楽曲配信システム、及び楽曲データ再生装置
【手続補正３】
【補正対象書類名】明細書
【補正対象項目名】０００１
【補正方法】変更
【補正の内容】
【０００１】
本発明は楽曲配信システム、及び楽曲データ再生装置に関し、より詳細には、インター
ネットなどのネットワークを介して、楽曲を配信するための楽曲配信システム、及び該楽
曲配信システムを構成する楽曲データ再生装置に関する。
【手続補正４】
【補正対象書類名】明細書
【補正対象項目名】０００６
【補正方法】変更
【補正の内容】
【０００６】
本発明は上記課題に鑑みなされたものであって、ユーザーに楽曲を購入すべきかどうか
を十分に吟味させることができる楽曲配信システム、及び楽曲データ再生装置を提供する
ことを目的としている。
【手続補正５】
【補正対象書類名】明細書
【補正対象項目名】０００７
【補正方法】変更
【補正の内容】
【０００７】
上記目的を達成するために本発明に係る楽曲配信システム（１）は、楽曲データの配信
サービスの授受を実施するための楽曲配信システムにおいて、前記楽曲データの送信要求
に応答して、前記楽曲データを送信要求者へ送信する楽曲データ送信手段と、その使用が
制限された、前記楽曲データの再生権限を示す使用制限付き再生キーを送信する再生キー
送信手段と、前記使用制限付き再生キー、及び該使用制限付き再生キーの使用制限情報に
基づいて、使用制限の範囲内で前記楽曲データの再生を制御する再生制御手段とを備える
と共に、前記楽曲データ送信手段が、楽曲配信装置に装備されるものであり、前記再生キ
ー送信手段が、前記楽曲配信装置とは異なる楽曲配信補助装置に装備されるものであり、
前記再生制御手段が、楽曲データ再生装置に装備されるものであり、前記使用制限情報に
、前記使用制限付き再生キーの使用可能期間が含まれ、前記再生制御手段が、前記使用可
能期間内に限定して前記楽曲データを再生するものであり、前記使用制限付き再生キーが
、各楽曲毎に設定されていることを特徴としている。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また、上記楽曲配信システム（１）によれば、前記使用制限情報に、前記使用制限付き
再生キーの使用可能期間が含まれ、前記再生制御手段が、前記使用可能期間内に限定して
前記楽曲データを再生するものであるので、前記楽曲配信装置（例えば、楽曲配信サービ
スを提供するサーバー）から送信される前記楽曲データの再生をある期間内に限定するこ
とができる。これにより、ユーザーはその期間内において楽曲を購入すべきかどうかをし
っかりと吟味することができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
さらに、上記楽曲配信システム（１）によれば、前記使用制限付き再生キーが、各楽曲
毎に設定されている。これにより、各楽曲毎に使用期間を設定することができる。
【手続補正１０】
【補正対象書類名】明細書
【補正対象項目名】００１７
【補正方法】変更
【補正の内容】
【００１７】
また、本発明に係る楽曲配信システム（２）は、上記楽曲配信システム（１）において
、前記再生キー送信手段が、放送波に乗せて前記使用制限付き再生キーを送信するもので
あり、前記使用制限付き再生キーを乗せた放送波を受信する受信手段と、該受信手段で受
信した放送波に乗っていた前記使用制限付き再生キーを蓄積手段に格納する格納手段とを
備えると共に、前記受信手段と前記格納手段とが、前記楽曲データ再生装置に装備される
ものであることを特徴としている。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
また、上記楽曲配信システム（２）によれば、前記受信手段で受信した放送波に乗って
いた前記使用制限付き再生キーを前記蓄積手段に格納することができる。これにより、例
えば、ＦＭ多重技術を用いて、ラジオ番組オンエア中の楽曲に対応する楽曲データの前記
使用制限付き再生キーが送信されてくるようになっていれば、リスナーは聴取している楽
曲に対応する楽曲データの前記使用制限付き再生キーを取得することができる。
従って、番組オンエア中には、繰り返し聴くことのできない楽曲であったとしても、楽
曲配信サービスを提供しているサーバーにアクセスし、当該楽曲の楽曲データをダウンロ
ードすることによって、当該楽曲を繰り返し聴くことができる。
【手続補正１３】
【補正対象書類名】明細書
【補正対象項目名】００２１
【補正方法】変更
【補正の内容】
【００２１】
また、本発明に係る楽曲配信システム（３）は、上記楽曲配信システム（２）において
、前記受信手段が、複数のチャンネルから送信される放送波を一度に受信可能に構成され
、ユーザーが操作する入力手段を介して入力された選択情報に基づいて、前記蓄積手段へ
格納すべき前記使用制限付き再生キーの送信元を１つ又は２つ以上設定する送信元設定手
段を備えると共に、前記格納手段が、前記送信元設定手段により設定された送信元からの
放送波に乗っていた前記使用制限付き再生キーだけを前記蓄積手段に格納するものであり
、前記送信元設定手段が、前記楽曲データ再生装置に装備されるものであることを特徴と
している。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
また、上記楽曲配信システム（３）によれば、裏番組の放送波に乗せて送信されてくる
全ての前記使用制限付き再生キーではなく、ユーザーお気に入りの番組や放送局から送信
されてくる前記使用制限付き再生キーだけを前記蓄積手段に蓄積させることができる。こ
れにより、必要のない前記使用制限付き再生キーが前記蓄積手段に蓄積され、検索等に手
間がかかるのを防止することができる。
【手続補正１６】
【補正対象書類名】明細書
【補正対象項目名】００２５
【補正方法】変更
【補正の内容】
【００２５】
また、本発明に係る楽曲配信システム（４）は、上記楽曲配信システム（１）〜（３）
のいずれかにおいて、前記再生キー送信手段が、その使用制限を示す前記使用制限情報を
付加して前記使用制限付き再生キーを送信するものであることを特徴としている。
【手続補正１７】
【補正対象書類名】明細書
【補正対象項目名】００２６
【補正方法】変更
【補正の内容】
【００２６】
上記楽曲配信システム（４）によれば、その使用制限を示す前記使用制限情報を付加し
て前記使用制限付き再生キーが送信される。これにより、前記使用制限情報を前記楽曲デ
ータごとに統一しなくても（すなわち、前記楽曲データを送信する側の事情で設定しなく
ても）、前記使用制限付き再生キーを送信する側の事情で設定することができる。例えば
、使用期間を前記使用制限付き再生キーの送信開始から１週間などと設定することができ
る。
【手続補正１８】
【補正対象書類名】明細書
【補正対象項目名】００２７
【補正方法】変更
【補正の内容】
【００２７】
また、本発明に係る楽曲配信システム（５）は、上記楽曲配信システム（１）において
、前記楽曲データの購入要求に応答して、使用制限の解除権限を示す解除権限情報を購入
要求者へ送信する解除権限情報送信手段と、前記解除権限情報に基づいて、前記使用制限
情報を無効とする無効手段とを備えると共に、前記解除権限情報送信手段が、前記楽曲配
信装置に装備されるものであり、前記無効手段が、前記楽曲データ再生装置に装備される
ものであることを特徴としている。
【手続補正１９】
【補正対象書類名】明細書
【補正対象項目名】００２８
【補正方法】変更
【補正の内容】
【００２８】
上記楽曲配信システム（５）によれば、前記解除権限情報に基づいて、前記使用制限情
報が無効とされ、該使用制限情報に基づいた再生制御が禁止される。すなわち、前記解除
権限情報を取得していれば、前記楽曲データを無制限に再生することができる。
また、ユーザーからの前記楽曲データの購入要求に応答して、前記楽曲データの前記解
除権限情報が送信される。すなわち、楽曲を購入することによって、前記楽曲データを無
制限に再生することができるようになる。また、前記楽曲データそのものについては再度
送信する必要はないため、通信処理を軽減することができ、また、ユーザーが使用する側
の端末に装備される記憶装置に、同じ楽曲データが記憶されるのを防止することができる
。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】変更
【補正の内容】
【００３３】
また、本発明に係る楽曲データ再生装置（１）は、上記楽曲配信システム（１）を構成
する楽曲データ再生装置であって、前記使用制限付き再生キー、及び該使用制限付き再生
キーの使用制限情報に基づいて、使用制限の範囲内で前記楽曲データの再生を制御するも
のであることを特徴としている。
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】変更
【補正の内容】
【００３９】
以下、本発明に係る楽曲配信システム、及び楽曲データ再生装置の実施の形態を図面に
基づいて説明する。図１は、実施の形態（１）に係る楽曲配信システムを示した概略図で
ある。